(57)【要約】【課題】土留め壁内の掘削と並行して、土留め壁の支保や底盤改良のための地中支持体を効率良く施工できる地下構造体の施工方法を提供すること。【解決手段】地盤１中に土留め壁３を設置した後、土留め壁３の外側の地上から削孔ロッド５を発進させ、削孔ロッド５に振動を、ないしは先端ビット７に打撃を加えつつ、削孔ロッド５の回転と非回転とを制御することにより、土留め壁３の一部を貫通し、土留め壁３の他部に到達する曲がりボーリング孔９、１１を削孔する。曲がりボーリング孔９は、土留め壁３の内側では直線状に削孔される。曲がりボーリング孔１１は、土留め壁３の内側で下に凸の曲線形状となるように削孔される。そして、曲がりボーリング孔９、１１に凍結管２５およびマイクロチャンネル２７を設置して凍結冷媒を循環させ、凍結工法により地中支持体である先行地中梁３５、凍結底盤３７を構築する。【選択図】図４
2019183440.tif 000002
【特許請求の範囲】
【請求項１】
地盤中に土留め壁を設置する工程ａと、
地上から削孔ロッドを発進させ、前記削孔ロッドに振動を、ないしは前記削孔ロッドの先端ビットに打撃を加えつつ、前記削孔ロッドの回転と非回転とを制御することにより、前記土留め壁の一部を貫通し、前記土留め壁の他部に到達する曲がりボーリング孔を削孔する工程ｂと、
前記曲がりボーリング孔を用いて地中支持体を構築する工程ｃと、
を具備することを特徴とする地下構造体の施工方法。
【請求項２】
前記土留め壁は、下端が前記地盤の不透水層まで到達していないことを特徴とする請求項１記載の地下構造体の施工方法。
【請求項３】
前記地中支持体が、複数の前記曲がりボーリング孔を用いて凍結工法により構築される凍結底盤であることを特徴とする請求項１または請求項２記載の地下構造体の施工方法。
【請求項４】
前記凍結底盤の上部に所定厚以上の土塊層が設けられることを特徴とする請求項３記載の地下構造体の施工方法。
【請求項５】
前記所定厚は、前記地盤の周囲の被覆地下水圧による盤膨れを抑止できる厚さに設定されることを特徴とする請求項４記載の地下構造体の施工方法。
【請求項６】
前記工程ｂで、前記曲がりボーリング孔を、前記土留め壁の一部と前記土留め壁の他部との間において下に凸の曲線形状となるように削孔することを特徴とする請求項３記載の地下構造体の施工方法。
【請求項７】
前記工程ｃで、前記凍結底盤を下に凸のドーム状またはアーチ状に構築することを特徴とする請求項６記載の地下構造体の施工方法。
【請求項８】
前記地中支持体が、凍結工法により構築される先行地中梁であることを特徴とする請求項１または請求項２記載の地下構造体の施工方法。
【請求項９】
工程ｃの後、前記先行地中梁の上方の前記地盤を掘削して前記土留め壁の内側に躯体の一部を構築し、前記先行地中梁を融解する工程ｄをさらに具備し、
前記工程ｂから前記工程ｄを前記地盤の上方から下方へと順に繰り返し、逆巻き工法によって前記躯体を構築することを特徴とする請求項８記載の地下構造体の施工方法。
【請求項１０】
前記工程ｃで、前記曲がりボーリング孔内に凍結管を配置し、前記凍結管内に設置されたマイクロチャンネルに凍結冷媒を循環させて、前記曲がりボーリング孔の周囲に凍土を形成することにより、前記地中支持体を構築することを特徴とする請求項３または請求項８に記載の地下構造体の施工方法。
【発明の詳細な説明】
【技術分野】
【０００１】
本発明は、地下構造体の施工方法に関するものである。
【背景技術】
【０００２】
従来、土留め壁を構築する際には、掘削部内への地下水の流入を防いで揚圧力を低減するために、地盤の不透水層まで土留め壁を根入れしていた。また、地下水位より深い立坑を構築する際には、立坑内を掘削した後に、立坑壁体内に地下水が溜まった状態で坑底部を冷却して凍結させ、地下水を排出する方法が提案されていた（例えば、特許文献１参照）。
【０００３】
軟弱地盤に構築した土留め壁等の内部を掘削する際には、土留め壁等の内側の地表から所定の深さまで削孔して柱状の地盤改良体を形成する作業を繰り返して行うことにより、柱状の地盤改良体を水平方向に連続して設置して先行地中梁を形成していた。
【先行技術文献】
【特許文献】
【０００４】
【特許文献１】特許第５４４３２００号公報
【発明の概要】
【発明が解決しようとする課題】
【０００５】
しかしながら、不透水層まで土留め壁の根入れをする方法では、壁長が長くなり、工費が嵩むという問題があった。立坑の掘削後に坑底部を凍結して地下水を排水する方法は、地下水の圧力に対抗するための凍結厚さが必要になるため、コストがかかった。また、凍結後に立坑内の地下水を排水するため、施工の効率が悪かった。
【０００６】
柱状の地盤改良体を連続して設置して先行地中梁を形成する方法は、削孔作業と柱状の地盤改良体を形成する作業とを何度も繰り返すため、施工の効率が悪く不経済であった。また、地盤の掘削に伴う改良体の撤去に手間がかかった。
【０００７】
本発明は、前述した問題点に鑑みてなされたものであり、その目的とすることは、土留め壁内の掘削と並行して、土留め壁の支保や底盤改良のための地中支持体を効率良く施工できる地下構造体の施工方法を提供することである。
【課題を解決するための手段】
【０００８】
前述した目的を達成するために本発明は、地盤中に土留め壁を設置する工程ａと、地上から削孔ロッドを発進させ、前記削孔ロッドに振動を、ないしは前記削孔ロッドの先端ビットに打撃を加えつつ、前記削孔ロッドの回転と非回転とを制御することにより、前記土留め壁の一部を貫通し、前記土留め壁の他部に到達する曲がりボーリング孔を削孔する工程ｂと、前記曲がりボーリング孔を用いて地中支持体を構築する工程ｃと、を具備することを特徴とする地下構造体の施工方法である。
【０００９】
本発明では、曲がりボーリング孔を用いて土留め壁の側方から地中支持体を構築することにより、土留め壁の支保や底盤改良のための地中支持体を効率良く施工することができる。また、土留め壁内を掘削する工程と並行して、地中支持体を構築することができる。本発明で削孔ロッドに加える振動成分は、軸方向であってもよいし、複数方向であってもよい。複数方向の振動成分を加えることにより、地盤が硬い場合や、地盤の硬さが変化する場合にも、削孔方向がぶれることなく、計画された方向に削孔を行うことができる。
【００１０】
前記土留め壁は、下端が前記地盤の不透水層まで到達していなくてもよい。
土留め壁の壁長を短くすることにより、工費を削減することができる。
【００１１】
前記地中支持体は、例えば、複数の前記曲がりボーリング孔を用いて凍結工法により構築される凍結底盤である。
地中支持体として凍結底盤を構築することにより、土留め壁の下端部の止水性を確保することができる。
【００１２】
前記凍結底盤の上部に所定厚以上の土塊層が設けられることが望ましい。
前記所定厚は、前記地盤の周囲の被覆地下水圧による盤膨れを抑止できる厚さに設定されることが望ましい。
これにより、凍結底盤と土塊層との重量で地下水の揚圧力に対抗することができ、凍結底盤の厚さを薄くすることが可能となり、経済的である。
【００１３】
地中支持体が凍結底盤である場合、前記工程ｂで、前記曲がりボーリング孔を、前記土留め壁の一部と前記土留め壁の他部との間において下に凸の曲線形状となるように削孔することが望ましい。
このとき、前記工程ｃでは、前記凍結底盤を下に凸のドーム状またはアーチ状に構築する。
凍結底盤を下に凸のドーム状またはアーチ状としてアーチ効果を得ることにより、凍結底盤にかかる地下水の揚圧力を土留め壁から背面の地盤に伝えることができる。また、凍結底盤の改良厚さを薄くすることができる。
【００１４】
前記地中支持体が、凍結工法により構築される先行地中梁であってもよい。
地中支持体として凍結工法により先行地中梁を構築することにより、土留め壁の内側の掘削時に先行地中梁を融解して簡単に撤去することができる。
【００１５】
地中支持体が凍結工法により構築される先行地中梁である場合、工程ｃの後、前記先行地中梁の上方の前記地盤を掘削して前記土留め壁の内側に躯体の一部を構築し、前記先行地中梁を融解する工程ｄをさらに具備し、前記工程ｂから前記工程ｄを前記地盤の上方から下方へと順に繰り返し、逆巻き工法によって前記躯体を構築してもよい。
これにより、下方の先行地中梁を構築しつつ、上方の地盤を掘削して躯体を構築することができる。
【００１６】
凍結工法を用いる場合、前記工程ｃで、前記曲がりボーリング孔内に凍結管を配置し、前記凍結管内に設置されたマイクロチャンネルに凍結冷媒を循環させて、前記曲がりボーリング孔の周囲に凍土を形成することにより、前記地中支持体を構築することが望ましい。
マイクロチャンネルは、軽量で熱伝導性に優れているため、配置が容易であり、効率良く凍土を造成できる。
【発明の効果】
【００１７】
本発明によれば、土留め壁内の掘削と並行して、土留め壁の支保や底盤改良のための地中支持体を効率良く施工できる地下構造体の施工方法を提供できる。
【図面の簡単な説明】
【００１８】
【図１】曲がりボーリング孔９、１１を削孔する工程を示す図
【図２】削孔ロッド５の先端ビット７付近の断面図
【図３】曲がりボーリング孔９、１１に凍結管２５を配置する方法を示す図
【図４】曲がりボーリング孔９、１１に凍結管２５を配置して凍土を形成し、掘削を開始する工程を示す図
【図５】凍結底盤３７内の凍結管２５の配置を示す図
【図６】土留め壁３の内側の地盤１の掘削を終了した状態を示す図
【図７】平板状の凍結底盤３７ａを構築する例を示す図
【図８】土留め壁４３が平面視で矩形である例を示す図
【図９】削孔ロッド５が土留め壁３の他部３ｂを貫通する例を示す図
【図１０】逆巻き工法によって躯体４７を構築する例を示す図
【発明を実施するための形態】
【００１９】
以下、図面に基づいて、本発明の第１の実施形態を詳細に説明する。
図１は、曲がりボーリング孔９、１１を削孔する工程を示す図である。図１（ａ）は、地盤１の鉛直方向の断面図であり、最上段の曲がりボーリング孔９と最下段の曲がりボーリング孔１１とを削孔した状態を示す。図１（ｂ）は、図１（ａ）に示す矢印Ａの方向から見た図であり、底面視での曲がりボーリング孔１１の配置を示す。図２は、削孔ロッド５の先端ビット７付近の断面図である。
【００２０】
図１に示すように、地盤１には、土留め壁３が構築される。地盤１は、例えば、粘性土層１３の下方に砂質土層１５が存在し、その下方に不透水層である粘性土層１７が存在するものとする。土留め壁３の下端部は、砂質土層１５内に位置し、粘性土層１７には到達しない。土留め壁３の外側の地盤１上には、削孔ロッド５を駆動するためのボーリングマシン８が設置される。
【００２１】
図２に示すように、削孔ロッド５は、管状材であり、先端ビット７に削孔方向決定部材１９が設けられる。削孔ロッド５は、大きな靱性を有する。削孔方向決定部材１９は、削孔ロッド５の軸方向（図２に示す矢印Ｘの方向）に対して所定の角度をなすように取り付けられる。削孔ロッド５の先端付近には詰め物２１が設けられる。削孔ロッド５の先端ビット７には、位置探査のための図示しない発信器が設置される。また、ボーリングマシン８には、図示しないジャイロ挿入引き込み装置が一体化される。
【００２２】
ボーリングマシン８は、削孔ロッド５の全体を矢印Ｂに示すように回転させることができる。さらに、必要に応じて削孔ロッド５を先端ビット７の方向に押し出すことが可能である。削孔ロッド５は、ボーリングマシン８によって軸方向に振動が加えられるような構成、ないしは、先端ビット７の基端部側に設置された図示しないハンマー等で先端ビット７に打撃が加えられるような構成とする。
【００２３】
削孔ロッド５は、回転と、削孔ロッド５への軸方向への振動ないしは先端ビット７への打撃とを組み合わせることで直進する。また、削孔ロッド５の回転を停止して非回転の状態で軸方向への振動ないしは先端ビット７への打撃を加えることで、削孔方向決定部材１９の方向への削孔が行われ、削孔方向を任意の方向に曲げることができる。なお、掘削対象となる地盤の状況に応じて単位時間あたりの打撃回数を増減するなどして、振動ないしは打撃の加え方と押し出し力を調整することによって、削孔の曲率を調整することもできる。
【００２４】
図１（ａ）に示す工程では、ボーリングマシン８を用いて削孔ロッド５に軸方向の振動を加えつつ、ないしは先端ビット７に打撃を加えつつ削孔ロッド５の回転と非回転とを制御することにより、地盤１上から削孔ロッド５を発進させて、削孔ロッド５で地盤１に曲がりボーリング孔９、１１を削孔する。削孔ロッド５は、土留め壁３の一部を外側から切削する際に、少し後退し、先端ビット７から固化材等を注入して切削部分の周辺の地盤１に止水部３９を形成した後、削孔を再開する。そして、土留め壁３の一部を貫通して土留め壁３内を削孔し、土留め壁３の他部に到達する。
【００２５】
曲がりボーリング孔９は、図１（ａ）に示すように、地上から土留め壁３の一部まで曲線状に削孔され、土留め壁３の内側では直線状に削孔される。曲がりボーリング孔９は、土留め壁３の支保のための地中支持体である先行地中梁の構築予定位置に削孔される。曲がりボーリング孔９の近傍には、測温用の図示しない孔が削孔される。
【００２６】
曲がりボーリング孔１１は、図１（ａ）に示すように、全体が曲線状に削孔され、土留め壁３の内側では下に凸の曲線形状となるように削孔される。曲がりボーリング孔１１は、土留め壁３の底盤改良のための地中支持体である凍結底盤の構築予定位置に削孔される。曲がりボーリング孔１１は、図１（ｂ）に示すように、平面視で、土留め壁３の内側すなわち凍結底盤の構築予定範囲内で、所定の間隔をおいて複数本削孔される。また、曲がりボーリング孔１１同士の間には、測温用の図示しない孔が削孔される。
【００２７】
図１に示す工程では、削孔ロッド５による地盤１の削孔中に、削孔ロッド５の先端ビット７に設置した図示しない発信器の位置を、地上部からリアルタイムで探査する。また、削孔中の適切な時期に、ボーリングマシン８と一体化された図示しないジャイロ挿入引き込み装置を用いて、削孔ロッド５の先端ビット７付近に図示しないジャイロスコープを挿入して引き込むことにより、削孔ロッド５の削孔軌跡を計測する。
【００２８】
図３は、曲がりボーリング孔９、１１に凍結管２５を配置する方法を示す図である。図３（ａ）は、削孔ロッド５に撤去用部材２３を挿入した状態を示す図、図３（ｂ）は、詰め物２１を撤去した状態を示す図、図３（ｃ）は、削孔ロッド５に凍結管２５を挿入した状態を示す図、図３（ｄ）は、曲がりボーリング孔９、１１から削孔ロッド５を撤去した状態を示す図である。
【００２９】
図４は、曲がりボーリング孔９、１１に凍結管２５を配置して凍土を形成し、掘削を開始する工程を示す図である。図４（ａ）は、最上段の曲がりボーリング孔９、曲がりボーリング孔１１に凍結管２５を配置した状態を示す図、図４（ｂ）は、最上段の先行地中梁３５および凍結底盤３７を構築した状態を示す図、図４（ｃ）は、土留め壁３内の地盤１の掘削を開始した状態を示す図である。図５は、凍結底盤３７内の凍結管２５の配置を示す図である。図５は、図４（ｂ）に示す矢印Ｇの方向から見た図である。
【００３０】
図４（ａ）に示す工程では、最上段の曲がりボーリング孔９、曲がりボーリング孔１１に凍結管２５を配置する。凍結管２５を配置するには、まず、図１（ａ）に示す状態の削孔ロッド５の内部に、図３（ａ）に示すように、撤去用部材２３を挿入し、撤去用部材２３と詰め物２１とを連結する。そして、図３（ｂ）に示すように、撤去用部材２３および詰め物２１を削孔ロッド５から撤去する。
【００３１】
次に、図３（ｃ）に示すように、削孔ロッド５の内部に凍結管２５を挿入して配置する。さらに、図３（ｄ）に示すように、削孔ロッド５を曲がりボーリング孔９、１１から撤去する。このとき、土留め壁３の外側の止水部３９（図４（ａ））を固化材等によって補強する。また、凍結管２５の内部に、マイクロチャンネル２７を帯状に配置する。マイクロチャンネル２７は、凍結管２５のうち、土留め壁３の内側の区間に配置される。
【００３２】
撤去用部材２３、凍結管２５、マイクロチャンネル２７は、地表から曲がりボーリング孔９、１１に挿入される。また、撤去用部材２３および詰め物２１、削孔ロッド５は、図３（ａ）の矢印Ｃや図３（ｃ）の矢印Ｄに示すように、曲がりボーリング孔９、１１から地表側に引き抜いて撤去される。
【００３３】
マイクロチャンネル２７は、アルミ製の押し出し成形品であり、内部に複数の冷媒循環路を有する。マイクロチャンネル２７は、先端側にソケット２９を有し、後端側にソケット３１を有する。ソケット３１には供給管３３ａと戻り管３３ｂとが接続される。
【００３４】
図４（ａ）に示す工程で、最上段の曲がりボーリング孔９、曲がりボーリング孔１１に凍結管２５およびマイクロチャンネル２７を設置した後、図４（ｂ）に示す工程では、凍結融解装置２６と凍結管２５に配置したマイクロチャンネル２７との間に凍結冷媒を循環させる。凍結冷媒は、二酸化炭素とする。凍結融解装置２６から供給された凍結冷媒は、図３（ｄ）に示す供給管３３ａからソケット３１を介してマイクロチャンネル２７内の供給用の冷媒循環路に流入し、ソケット２９を介してマイクロチャンネル２７内の戻り用の冷媒循環路に流入し、ソケット３１を介して戻り管３３ｂに戻る。
【００３５】
図４（ｂ）に示す工程では、マイクロチャンネル２７に凍結冷媒を循環させることにより、曲がりボーリング孔９の土留め壁３の内側の区間の周囲に、凍土による先行地中梁３５が構築される。先行地中梁３５は、土留め壁３の支保のための地中支持体である。
【００３６】
図４（ｂ）に示す工程では、マイクロチャンネル２７に凍結冷媒を循環させることにより、曲がりボーリング孔１１の土留め壁３の内側の区間の周囲にも凍土が形成され、土留め壁３の底部に凍結底盤３７が構築される。凍結底盤３７は、土留め壁３の底盤改良のための地中支持体である。曲がりボーリング孔１１は、図２に示すように所定の間隔をおいて削孔されているため、複数の曲がりボーリング孔１１の土留め壁３の内側の区間に図５に示すように凍結管２５を配置して凍土を造成することにより、隣接する曲がりボーリング孔１１の周囲の凍土が連続して一体となり、ドーム状の凍結底盤３７が構築される。ドーム状とは、球体の一部のような形状であり、径方向の断面が一定の大きさの円弧状である。
【００３７】
凍結工法によって先行地中梁３５や凍結底盤３７を構築する際には、上述した測温用の孔に設置した光ファイバセンサなどを用いて凍土の成長を確認することが望ましい。凍土の成長が不十分である場合は、凍結範囲を拡大させたり、固化材を注入したりして、先行地中梁３５や凍結底盤３７の強度や止水性を確保する。
【００３８】
図４（ｂ）に示す工程で最上段の先行地中梁３５を構築した後、図４（ｃ）に示す工程では、地盤１の土留め壁３の内部を、最上段の先行地中梁３５の深さまで掘削する。その後、最上段の先行地中梁３５を融解させて地盤１を元の状態に戻す。先行地中梁３５を融解させる際、凍結管２５に温水などを流して、融解を促進させてもよい。先行地中梁３５の融解後は、必要に応じて凍結管２５を撤去し、図示しない腹起しや切梁を適宜設置する。
【００３９】
第１の実施の形態では、図４の各図に示すように、最上段の曲がりボーリング孔９に凍結管２５を設置して先行地中梁３５を構築し、その上方の地盤１を掘削する作業と並行して、２段目や３段目の先行地中梁３５を順次構築する。そして、地盤１を掘削して先行地中梁３５を融解する作業を下方に向けて繰り返す。
【００４０】
図６は、土留め壁３の内側の地盤１の掘削を終了した状態を示す図である。３段目の先行地中梁３５を融解した後は、凍結底盤３７の上方に所定厚の土塊層４１を残した状態で地盤１の掘削を終了する。土塊層４１の厚さは、地盤１の周囲の被覆地下水圧による盤膨れを抑止できる厚さに設定される。
【００４１】
図６に示す状態では、矢印Ｅに示すように凍結底盤３７にかかる地下水圧が、凍結底盤３７のアーチ効果によって土留め壁３の背面の地盤１に伝わる。また、矢印Ｆに示すように土塊層４１の重量が地下水圧に対抗する。この後、掘削部に地下構造体を施工することができる。
【００４２】
このように、第１の実施の形態によれば、曲がりボーリング孔９や曲がりボーリング孔１１を用いて、土留め壁３の側方から地中支持体である先行地中梁３５や凍結底盤３７を構築することにより、地中支持体を効率良く施工することができる。また、土留め壁３の側方から先行地中梁３５を構築すれば、上段の地盤１の掘削と下段の先行地中梁３５の構築とを並行して行うことができる。
【００４３】
第１の実施の形態では、凍結工法によって先行地中梁３５や凍結底盤３７を構築することにより、土留め壁３の内側の地盤１を掘削する際に、不要となった先行地中梁３５を融解して簡単に撤去することができる。また、不要となった凍結底盤３７も融解すれば元の地盤１に戻るため、自然復旧が容易である。
【００４４】
さらに、凍結底盤３７を構築することにより、土留め壁３の下端が地盤１の不透水層（粘性土層１７）まで到達していない場合にも、土留め壁３の下端部の止水性を容易に確保できるため、土留め壁３の壁長を短くして工費を削減することが可能となる。
【００４５】
第１の実施の形態では、曲がりボーリング孔１１を、土留め壁３の内側の範囲において下に凸の曲線形状とし、下に凸のドーム状の凍結底盤３７を構築する。ドーム状の凍結底盤３７はアーチ効果が得られるため、凍結底盤３７にかかる地下水の揚圧力を土留め壁３の背面に地盤１に伝えることができる。また、凍結底盤３７の上部に所定厚以上の土塊層４１を設けることにより、凍結底盤３７と土塊層４１の重量とで地下水の揚圧力に対抗することができる。これらにより、凍結底盤３７の厚さを薄くしても盤膨れを防止することが可能となり、工費を削減できる。
【００４６】
第１の実施の形態では、曲がりボーリング孔９、１１内に凍結管２５を配置し、凍結管２５内に設置されたマイクロチャンネル２７に凍結冷媒を循環させる。マイクロチャンネル２７は、軽量で熱伝導性に優れているため、配置が容易であり、効率良く凍土を造成できる。
【００４７】
なお、第１の実施の形態では、ドーム状すなわち径方向の断面が一定の大きさの円弧状であるような形状の凍結底盤３７を構築したが、凍結底盤の形状はドーム状に限らない。図７は、平板状の凍結底盤３７ａを構築する例を示す図である。図７に示す例では、凍結底盤の構築予定位置に、第１の実施の形態の曲がりボーリング孔１１の代わりに、曲がりボーリング孔１１ａを削孔する。曲がりボーリング孔１１ａは、地表から土留め壁３までが曲線状に削孔され、土留め壁３の内側が直線状に削孔される。曲がりボーリング孔１１ａは、土留め壁３の内側では、平面視で所定の間隔をおいて削孔される。
【００４８】
曲がりボーリング孔１１ａを削孔した後、曲がりボーリング孔１１ａに凍結管２５およびマイクロチャンネル２７を設置して凍結冷媒を循環させる。上述したように曲がりボーリング孔１１ａは所定の間隔をおいて削孔されているため、隣接する曲がりボーリング孔１１ａの周囲に造成された複数の凍土が連続して一体となることにより、平板状の凍結底盤３７ａが構築される。土留め壁３の内側の地盤１を掘削する際には、凍結底盤３７ａの上方に所定厚の土塊層４１ａを残置する。
【００４９】
凍結底盤が、アーチ状すなわち軸方向の断面が一定の大きさの円弧状であるような形状に構築される場合もある。図８は、土留め壁４３が平面視で矩形である例を示す図である。図８に示す例では、先行地中梁４５が、土留め壁４３の一部４３ｂと他部４３ａとの間に構築される。また、凍結底盤は、土留め壁の内側で下に凸の曲線状となるように削孔された複数の曲がりボーリング孔の周囲に造成される凍土が連続して一体となることにより、アーチ状に構築される。
【００５０】
第１の実施の形態では、削孔ロッド５が土留め壁３の他部に到達したところで曲がりボーリング孔９、１１の削孔を停止したが、削孔ロッド５が土留め壁３の他部を貫通する場合もある。図９は、削孔ロッド５が土留め壁３の他部３ｂを貫通する例を示す図である。図９（ａ）は、曲がりボーリング孔１１ｂの削孔を終了した状態を示す図、図９（ｂ）は、凍結底盤３７を構築した状態を示す図である。
【００５１】
図９に示す例では、削孔ロッド５によって削孔される曲がりボーリング孔１１ｂが土留め壁３の他部３ｂを貫通する。図９（ａ）に示す工程では、削孔ロッド５が、土留め壁３の他部３ｂを内側から切削する際に、土留め壁３の一部３ａを外側から切削する際と同様に、少し後退し、固化材等によって止水部３９ｂを形成する。図９（ｂ）に示す工程では、この曲がりボーリング孔１１ｂを用いて凍結工法によって凍結底盤３７を構築する。
【００５２】
第１の実施の形態では、地中支持体として先行地中梁３５と凍結底盤３７の両方を構築する例について説明したが、先行地中梁３５と凍結底盤３７との併用は必須ではない。例えば、先行地中梁３５を構築せず、曲がりボーリング孔１１を用いて凍結底盤３７のみを構築してもよい。また、土留め壁３の下端部が不透水層に達している場合などは、曲がりボーリング孔９を用いて先行地中梁３５のみを構築し、凍結底盤３７を構築しなくてもよい。
【００５３】
次に、第２の実施の形態について説明する。図１０は、逆巻き工法によって地下構造体である躯体４７を構築する例を示す図である。第２の実施の形態では、第１の実施の形態と異なる点について説明し、同様の点については図等で同じ符号を付すなどして説明を省略する。
【００５４】
逆巻き工法で躯体４７を構築するには、まず、図１０（ａ）に示すように、最上段の先行地中梁３５を構築する。同時に、２段目の曲がりボーリング孔９を削孔する。そして、図１０（ｂ）に示すように、最上段の先行地中梁３５の上側まで地盤１を掘削して躯体４７を構築する。同時に、２段目の曲がりボーリング孔９に凍結管２５とマイクロチャンネル２７を設置する。
【００５５】
次に、図１０（ｃ）に示すように、最上段の先行地中梁３５を融解し、凍結管２５とマイクロチャンネル２７を撤去する。同時に、２段目の先行地中梁３５を構築し、３段目の曲がりボーリング孔９を削孔する。
【００５６】
その後、図１０（ｄ）から図１０（ｆ）に示すように、曲がりボーリング孔９を削孔して先行地中梁３５を構築する作業と、先行地中梁３５の上方の地盤１を掘削して土留め壁３の内側に躯体４７の一部を構築して先行地中梁３５を融解する作業とを地盤１の上方から下方へと繰り返し、所定の深さまで躯体４７を構築する。
【００５７】
このように、第２の実施の形態では、土留め壁３の側方から曲がりボーリング孔９を削孔して先行地中梁３５を構築することにより、先に構築した先行地中梁３５の上方の地盤１を掘削して躯体４７を構築しつつ、下方の地盤１中に先行地中梁３５を構築することができる。
【００５８】
次に、第３の実施の形態について説明する。第３の実施の形態では、第１の実施の形態と異なる点について説明し、同様の構成については図等で同じ符号を付すなどして説明を省略する。第３の実施の形態で説明する構成は、必要に応じて第２の実施の形態とも組み合わせることができる。
【００５９】
第３の実施の形態では、図１に示すボーリングマシン８が、図２に示す削孔ロッド５に複数方向の振動を加えるとともに、削孔ロッド５の全体を図２に示す矢印Ｂに示すように回転させる。ボーリングマシン８は、削孔ロッド５に、例えば、図２に示す矢印Ｙの方向などに振動成分を加えてもよく、三次元的に振動を付与してもよい。さらに、ボーリングマシン８は、必要に応じて削孔ロッド５を先端ビット７の方向に押し出すことが可能である。
【００６０】
削孔ロッド５は、回転と振動とを組み合わせることで直進する。また、削孔ロッド５の回転を停止して非回転状態として振動を加えることで、削孔方向決定部材１９の方向への削孔が行われ、削孔方向を任意の方向に曲げることができる。なお、振動の加え方と押し出し力を調整することによって、削孔の曲率を調整することもできる。
【００６１】
第３の実施の形態では、図１（ａ）に示す工程で、ボーリングマシン８を用いて削孔ロッド５に振動を加えつつ削孔ロッド５の回転と非回転とを制御することにより、地盤１上から削孔ロッド５を発進させて、削孔ロッド５で地盤１に曲がりボーリング孔９、１１を削孔する。第３の実施の形態では、曲がりボーリング孔９、１１を削孔した後、第１の実施の形態と同様の手順で先行地中梁３５や凍結底盤３７を施工する。
【００６２】
第３の実施の形態においても、第１の実施の形態と同様の効果が得られる。加えて、第１の実施の形態で削孔ロッド５に加えられる振動や先端ビット７に加えられる打撃は、軸方向への衝撃であるため、ロッドが長い場合には衝撃力が減衰するが、第３の実施の形態の削孔ロッド５の振動は、複数方向に加えられ、ロッドが長い場合にも減衰せずに伝播するため、長距離の削孔が可能である。
【００６３】
第１の実施の形態では、軸方向への振動や打撃で前方の掘削と掘進を行うため、硬さが固い地盤の掘削は困難である。しかし、第３の実施の形態では、削孔ロッド５が、複数方向の振動によって地盤を破壊して削孔し、後方からの軸方向への押し出し力は、削孔にほとんど寄与せずにロッドの前進にのみ利用される。このため、固い地盤やコンクリートなどであっても、振動によって前方の地盤等の削孔が可能である。また、固い地盤と軟らかい地盤との境界部近傍を削孔する際にも、第１の実施の形態では、軸方向への振動や打撃で前方への掘進を行うため、ロッド先端が軟らかい地盤側に逃げてしまうが、第３の実施の形態では、削孔ロッド５が、複数方向の振動によって前方の地盤を破壊して削孔するため、進行方向がぶれることがない。このように、第３の実施の形態によれば、地盤が硬い場合や、地盤の硬さが変化する場合にも、削孔方向がぶれることなく、計画された方向に曲線状に削孔を行うことができる。また、複数方向の振動を付与することで、排泥が促進されるとともに、曲がりボーリング孔９、１１の孔壁を安定させることができる。
【００６４】
なお、２段目以下の曲がりボーリング孔９を削孔して先行地中梁３５を構築するタイミングは、第１から第３の実施の形態で述べたものに限らない。２段目以下の先行地中梁３５は、上方の地盤１を掘削する際に土留め壁３を確実に支持できるようなタイミングで構築すればよい。
【００６５】
図１から図１０に示す例では、凍結工法によって先行地中梁や凍結底盤等の地中支持体を構築したが、地中支持体の構築工法はこれに限らない。例えば、薬液注入工法や高圧噴射工法によって地中支持体を構築してもよい。また、図６、図７に示す土塊層の設置は必須ではない。さらに、地盤１の層の構成は図１に示すものに限らない。
【００６６】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６７】
１………地盤
３、３ａ、３ｂ、４３、４３ａ、４３ｂ………土留め壁
５………削孔ロッド
７………先端ビット
８………ボーリングマシン
９、１１、１１ａ、１１ｂ………曲がりボーリング孔
１３、１７………粘性土層
１５………砂質土層
１９………削孔方向決定部材
２１………詰め物
２３………撤去用部材
２５………凍結管
２６………凍結融解装置
２７………マイクロチャンネル
２９、３１………ソケット
３３ａ………供給管
３３ｂ………戻り管
３５、４５………先行地中梁
３７、３７ａ………凍結底盤
３９、３９ｂ………止水部
４１、４１ａ………土塊層
４７………躯体
【図１】
2019183440.tif 000003
【図２】
2019183440.tif 000004
【図３】
2019183440.tif 000005
【図４】
2019183440.tif 000006
【図５】
2019183440.tif 000007
【図６】
2019183440.tif 000008
【図７】
2019183440.tif 000009
【図８】
2019183440.tif 000010
【図９】
2019183440.tif 000011
【図１０】
2019183440.tif 000012